(57)【要約】      （修正有）【課題】レジカゴに容易且つ確実に装着でき、保冷効果もアップさせることができる買物用バッグを提供する。【解決手段】バッグ部２の物品出し入れ口５を開閉可能に覆う巾着状覆い部１０を備えたバッグであり、この巾着状覆い部１０の開放口１２を広く拡げてレジカゴの外側へスムーズに折り返しできる切り離し分離部１８を形成し、この切り離し分離部１８に因る隙間を塞ぐマチ部２０を取り付けた。また、巾着状覆い部１０の開放口１２を閉じる締め紐１５をゴム紐とし、巾着状覆い部１０の折り返し部分をゴム紐の伸縮機能でレジカゴの外周に容易且つ確実に装着できるようにした。買物バッグとして使用しない時は、底面部３の周辺部に装着した開閉用スライドファスナー２２を閉じ、バッグをコンパクトな形態にできる。【選択図】図１
0003224329.tif 000002
【実用新案登録請求の範囲】
【請求項１】
略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、この切り離し分離部に該切り離し分離部に因る隙間を塞ぐ柔らかなマチ素材から成るマチ部を取り付け、このマチ部を前記物品出し入れ口との止着箇所から前記開放口の方向へ行くに従い該開放口を広げる方向へのマチ幅が広くなるように形成したことを特徴とする買物用バッグ。
【請求項２】
略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記締め紐が伸縮性を有するゴム紐であり、前記巾着状覆い部の前記折り返し部分を前記ゴム紐の伸縮機能でレジカゴの外周に装着できるようにしたことを特徴とする買物用バッグ。
【請求項３】
略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、さらに、前記締め紐が伸縮性を有するゴム紐であり、前記巾着状覆い部の前記折り返し部分を前記ゴム紐の伸縮機能でレジカゴの外周に装着できるようにしたことを特徴とする買物用バッグ。
【請求項４】
略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、この切り離し分離部に該切り離し分離部に因る隙間を塞ぐ柔らかなマチ素材から成るマチ部を取り付け、このマチ部を前記物品出し入れ口との止着箇所から前記開放口の方向へ行くに従い該開放口を広げる方向へのマチ幅が広くなるように形成し、さらに、前記締め紐が伸縮性を有するゴム紐であり、前記巾着状覆い部の前記折り返し部分を前記ゴム紐の伸縮機能でレジカゴの外周に装着できるようにしたことを特徴とする買物用バッグ。
【請求項５】
請求項１から４のいずれかに記載の買物用バッグであって、前記した二本の環状の締め紐が、二カ所の前記切欠き部のうち一方の切欠き部から紐通し部に挿入し該紐通し部に一周挿通して該切欠き部から外に出した一本の締め紐の両端部を結んだ前記掴み部としての機能も兼ねる結び部で環状の締め紐とされ、二カ所の前記切欠き部のうち他方の切欠き部から紐通し部に挿入し該紐通し部に一周挿通して該切欠き部から外に出した一本の締め紐の両端部を結んだ前記掴み部としての機能も兼ねる結び部で環状の締め紐とされた二本の締め紐で構成された買物用バッグ。
【請求項６】
請求項１から４のいずれかに記載の買物用バッグであって、前記した二本の環状の締め紐が、二カ所の前記切欠き部のうち一方の切欠き部から紐通し部に挿入し該紐通し部に一周挿通して該切欠き部から外に出した一本の締め紐の両端部を結んだ前記掴み部としての機能も兼ねる結び部で環状の締め紐とされ、二カ所の前記切欠き部のうち他方の切欠き部から紐通し部に挿入し該紐通し部に一周挿通して該切欠き部から外に出した一本の締め紐の両端部を結んだ前記掴み部としての機能も兼ねる結び部で環状の締め紐とされた二本の締め紐で構成され、この二本の環状の締め紐の各々の前記結び部とこの結び部に対応する各々の切欠き部との間に在る環状の締め紐部分に適宜の係止位置にスライド移動できる係止具を装着し、この係止具が前記摘み部としての機能も兼ねると共に、この係止具を適宜の係止位置にスライド移動させることによって前記巾着状覆い部の前記開放口を適宜の開閉位置で係止できるようにした買物用バッグ。
【請求項７】
請求項１又は４に記載の買物用バッグであって、前記マチ部は、前記巾着状覆い部が閉じられた状態において該巾着状覆い部の内側に位置するように前記切り離し分離部に取り付けた買物用バッグ。
【請求項８】
請求項１又は４に記載の買物用バッグであって、前記バッグ部の内面のうち、少なくとも前記底面部の内側面を保冷シート材で形成した買物用バッグ。
【請求項９】
請求項１から４のいずれかに記載の買物用バッグであって、前記バッグ部の側面部と提げ部及び前記巾着状覆い部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分でそれぞれ形成され、この二つの底面部分の折り畳み連結部側を除いたそれぞれの三方の周辺部にこの互いの三方の周辺部を折り重ね状態で閉じることができる開閉用スライドファスナーを装着したことを特徴とする買物用バッグ。
【請求項１０】
請求項８に記載の買物用バッグであって、前記バッグ部の側面部と提げ部及び前記巾着状覆い部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分でそれぞれ形成されると共に、前記底面部の内側面を形成する前記保冷シート材が折り畳み可能な柔らかな材質で形成され、この二つの底面部分の折り畳み連結部側を除いたそれぞれの三方の周辺部にこの互いの三方の周辺部を折り重ね状態で閉じることができる開閉用スライドファスナーを装着したことを特徴とする買物用バッグ。
【請求項１１】
請求項９又は１０に記載の買物用バッグであって、前記底面部の外側面側に前記折り畳み連結部の折り畳み線に沿って延びる帯状部材の持ち運び用手提げ部を取り付けたことを特徴とする買物用バッグ。
【考案の詳細な説明】
【技術分野】
【０００１】
本考案は、大量の食品などを買物するスーパーマーケット等での買物に用いるのに便利な買物用バッグに関する。
【背景技術】
【０００２】
大量の食品などを買物するスーパーマーケット等での買物に用いるのに便利な買物用バッグとして、上面が開口するバッグ本体と、バッグ本体の開口縁に止着される筒状布とから成り、バッグ本体に手提げが取付けられ、前記筒状布の開放縁には紐通し孔が形成され、この紐通し孔に筒状布の開放縁を締めて閉じる締め紐を挿通した手提げバッグが公知である（特許文献１）。
【０００３】
この特許文献１の手提げバッグ（いわゆる買物用バッグ）は、スーパーマーケットでの買物に使用する場合、空の買物カゴ（以下「レジカゴ」と言う。）にバッグ本体をはめ込み、筒状布を買物かごの開口縁の外側へ折り返して、買物かごに装着できるようにしてある。この公知の手提げバッグ（いわゆる買物用バッグ）は、レジカゴに入れた買物商品をスーパーマーケットでのレジ通過時に空のレジカゴ内に装着してある当該手提げバッグ（いわゆる買物用バッグ）内に詰め替えでき、詰め替えた後に筒状布の開放縁を締め紐で閉じることによって、そのまま持ち帰ることができ、別のポリ袋に詰めかえる手間が省け便利であり、ポリ袋も不要で経費の節約を図れる、実用的な価値が高いものである。
【０００４】
しかし、特許文献１の手提げバッグ（いわゆる買物用バッグ）は、前記筒状布をレジカゴの開口縁の外側へ折り返して装着する際、この筒状布の開放部を広く拡げて折り返すのが困難であり、しかも折り返した筒状布をレジかごの外周に確実に装着するのが困難であり、この装着状態を保持しにくいものであった。
【０００５】
また、この種の買物用バッグとして、すでに、本出願人は、買物用バッグとして使用しない時には、携帯に適したコンパクトな形態にできるバックを提案し、実用新案登録第３１８３９６９号（特許文献２）として登録済みである。この買物用バッグは、底面部と、底面部を囲む四面の側面部をもち、上面の開口部を物品の出し入れ口とし、この開口部の内周縁部にこの開口部を開閉可能に被う巾着部を装着し、この巾着部を折り畳み可能な柔らかな材質で形成し、側面部に提げ部を取り付けたバッグであって、側面部及び提げ部を折り畳み可能な柔らか材質で形成し、底面部を二つの底面部分が折り畳み連結部を介して折り重ね態様に折り畳み可能に形成し、二つの底面部分をそれぞれの面形状が維持可能な硬めの底面部分に形成し、二つの底面部分の折り畳み連結部側を除いたそれぞれの三方の周辺部に折り重ね状態で閉じることができる開閉用スライドファスナーを装着したことを特徴したものである。この買物用バッグは、買物バッグとして使用しない時には、開閉用スライドファスナーを全開して平面形状に開いた底面部の内側面の範囲内に納まるように側面部と巾着部及び提げ部を折り畳み、それぞれの面形状を維持可能な硬めの底面部分にそれぞれ形成された二つの底面部分の間に折り畳まれた側面部と巾着部及び提げ部が納められた状態に折り畳み連結部を介して二つの底面部分を折り重ね、この折り重ね状態で開閉用スライドファスナーを閉じれば、二つの底面部分の外側面を表にして形成された扁平状の小バッグ内に買物バッグの全体をコンパクトな折り畳み形態に納めて保持でき、極めて商品的な価値が高いものである。
【先行技術文献】
【特許文献】
【０００６】
【特許文献１】特開２００１−８７０２２号公報
【特許文献２】実用新案登録第３１８３９６９号公報
【考案の概要】
【考案が解決しようとする課題】
【０００７】
本考案は、大量の食品などを買物するスーパーマーケット等での買物に用いるのに便利な買物用バッグであり、スーパーマーケット等での買物に使用する場合、例えば、レジカゴに入れた清算済みの買物商品を別の空のレジカゴ内に装着してある当該買物用バッグ内にスムーズに詰め替えでき、詰め替えた後に巾着状覆い部の開放縁を締め紐で閉じることによって、大量の食品などの買い物物品が巾着状覆い部で目隠しされバッグからこぼれ落ちることもなく、そのまま持ち帰ることができ、別のポリ袋に詰めかえる手間が省ける買物用バッグであり、また、例えば、レジカゴに入れた買物商品をスーパーマーケット等でのレジ通過時に別の空のレジカゴ内に装着してある当該買物用バッグ内にスムーズに詰め替えでき、詰め替えた後に巾着状覆い部の開放縁を締め紐で閉じることによって、大量の食品などの買い物物品が巾着状覆い部で目隠しされバッグからこぼれ落ちることもなく、そのまま持ち帰ることができ、別のポリ袋に詰めかえる手間が省ける買物用バッグを提供するものである。
【０００８】
そして、本考案では、特に、巾着状覆い部をレジカゴの開口縁の外側へ折り返し、この折り返し部分をレジカゴの外周に装着する際、この巾着状覆い部の開放口を広く拡げることができるように該巾着状覆い部に切り離し分離部を形成したバッグであっても、この巾着状覆い部の開放口を閉じて買い物した物品を持ち帰る際、巾着状覆い部の切り離し分離部に因る隙間を塞いで、バッグ内部の保冷効果又は保温効果をアップさせることができる、買物用バッグを提供することを主な解決課題とする。
【０００９】
さらに、本考案では、特に、巾着状覆い部をレジカゴの開口縁の外側へ折り返し、この折り返し部分をレジカゴの外周に装着する際、この巾着状覆い部の折り返し部分をレジカゴの外周に容易に且つ確実に装着できる、買物用バッグを提供することを主な解決課題とする。
【００１０】
さらに、本考案では、特に、巾着状覆い部をレジカゴの開口縁の外側へ折り返し、この折り返し部分をレジカゴの外周に装着する際、この巾着状覆い部の開放口を広く拡げることができるように該巾着状覆い部に切り離し分離部を形成したバッグであっても、広く拡げた開放口の巾着状覆い部をレジカゴの開口縁の外側へ容易に折り返すことができ、しかも巾着状覆い部の折り返し部分をレジカゴの外周に容易に且つ確実に装着できる、買物用バッグを提供することを主な解決課題とする。
【課題を解決するための手段】
【００１１】
上記した課題を解決するため、本考案（請求項１の考案）は、略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、この切り離し分離部に該切り離し分離部に因る隙間を塞ぐ柔らかなマチ素材から成るマチ部を取り付け、このマチ部を前記物品出し入れ口との止着箇所から前記開放口の方向へ行くに従い該開放口を広げる方向へのマチ幅が広くなるように形成した買物用バッグを提供する。
【００１２】
本考案（請求項１の考案）の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、この巾着状覆い部の開放口を締め紐で閉じて買物した物品を持ち帰る際、巾着状覆い部の切り離し分離部に因る隙間を前記マチ部で塞ぐことができるため、バッグ内部の保冷効果又は保温効果をアップさせることができる。同様に、この巾着状覆い部の開放口を締め紐で閉じて買物した物品を持ち帰る際、巾着状覆い部の切り離し分離部に因る隙間を前記マチ部で塞ぐことができるため、切り離し分離部に因る隙間から買物した物品が飛び出たり、こぼれ落ちるのを防ぐことができる。
【００１３】
また、上記した課題を解決するため、本考案（請求項２の考案）は、略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記締め紐が伸縮性を有するゴム紐であり、前記巾着状覆い部の前記折り返し部分を前記ゴム紐の伸縮機能でレジカゴの外周に装着できるようにした買物用バッグを提供する。
【００１４】
本考案（請求項２の考案）の買物用バッグによれば、巾着状覆い部をレジカゴの開口縁の外側へ折り返し、この折り返し部分をレジカゴの外周に装着する際、この巾着状覆い部の折り返し部分を締め紐であるゴム紐の伸縮機能でレジカゴの外周に容易に且つ確実に装着できる。これによって、例えばバッグ部が物品出し入れ口の開口姿勢を保持しにくい柔らかな素材で形成されたものであっても、物品出し入れ口の開口姿勢を保持した状態でバッグをレジカゴに装着でき、買物した商品をレジカゴに装着した買物用バッグ内にスムーズに詰め替えできる。
【００１５】
また、上記した課題を解決するため、本考案（請求項３の考案）は、略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、さらに、前記締め紐が伸縮性を有するゴム紐であり、前記巾着状覆い部の前記折り返し部分を前記ゴム紐の伸縮機能でレジカゴの外周に装着できるようにした買物用バッグを提供する。
【００１６】
本考案（請求項３の考案）の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、広く拡げた開放口の周縁部にある締め紐としてのゴム紐を伸ばし状態で巾着状覆い部をレジカゴの開口縁の外側へ容易に折り返すことができ、しかも巾着状覆い部の折り返し部分を前記ゴム紐の伸縮機能でレジカゴの外周に容易に且つ確実に装着できる。これによって、例えばバッグ部が物品出し入れ口の開口姿勢を保持しにくい柔らかな素材で形成されたものであっても、物品出し入れ口の開口姿勢を保持した状態でバッグをレジカゴに装着でき、買物した商品をレジカゴに装着した買物用バッグ内にスムーズに詰め替えできる。
【００１７】
また、上記した課題を解決するため、本考案（請求項４の考案）は、略方形の底面部と、この底面部を囲む四面の側面部をもち、上方を物品出し入れ口として開口し、前記側面部に手提げ又は肩掛け用の提げ部を取り付け、前記物品出し入れ口を上にしてレジかご内にフィットした状態に装着できる大きさに形成されたバッグ部と、このバッグ部の前記物品出し入れ口を開閉可能に覆うことができる巾着状覆い部を備え、この巾着状覆い部が、一端側を前記物品出し入れ口の内周縁部に沿って止着され、他端側を開放口とした柔らかな素材から成る略筒状の覆い面部材を備え、この覆い面部材の開放口の周縁部に紐通し部を形成すると共にこの紐通し部の周縁部方向の左右対称位置に二か所の切欠き部をそれぞれ切り欠き形成し、前記紐通し部にそれぞれ挿通された二本の環状の締め紐を有し、この二本の環状の締め紐のうち、一方の環状の締め紐の掴み部を一方の前記切欠き部から外に出し、他方の環状の締め紐の掴み部を他方の前記切欠き部から外に出した状態に取り付けられており、この二本の環状の締め紐の各掴み部を左右に引っ張ることによって前記開放口を窄めた状態に閉じることができるように構成されたバッグであって、このバッグのバッグ部をレジカゴ内に装着し、前記開放口を広げた状態の巾着状覆い部をレジカゴの開口縁の外側へ折り返し、この折り返し部分をレジカゴの外周に装着することによって、前記物品出し入れ口を広げた開口状態でバッグをレジカゴに装着できるようにしたバッグであり、前記巾着状覆い部に該巾着状覆い部の開放口を広く拡げて該巾着状覆い部をレジカゴの開口縁の外側へスムーズに折り返しできるように該巾着状覆い部の二か所の前記切欠き部の切り欠き形成箇所から前記物品出し入れ口との止着箇所まで至る切り離し切れ目を入れた切り離し分離部をそれぞれ形成し、この切り離し分離部に該切り離し分離部に因る隙間を塞ぐ柔らかなマチ素材から成るマチ部を取り付け、このマチ部を前記物品出し入れ口との止着箇所から前記開放口の方向へ行くに従い該開放口を広げる方向へのマチ幅が広くなるように形成し、さらに、前記締め紐が伸縮性を有するゴム紐であり、前記巾着状覆い部の前記折り返し部分を前記ゴム紐の伸縮機能でレジカゴの外周に装着できるようにした買物用バッグを提供する。
【００１８】
本考案（請求項４の考案）の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、この巾着状覆い部の開放口を締め紐で閉じて買物した物品を持ち帰る際、巾着状覆い部の切り離し分離部に因る隙間を前記マチ部で塞ぐことができるため、バッグ内部の保冷効果又は保温効果をアップさせることができる。同様に、この巾着状覆い部の開放口を締め紐で閉じて買物した物品を持ち帰る際、巾着状覆い部の切り離し分離部に因る隙間を前記マチ部で塞ぐことができるため、切り離し分離部に因る隙間から買物した物品が飛び出たり、こぼれ落ちるのを防ぐことができる。
【００１９】
さらに、本考案（請求項４の考案）の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、広く拡げた開放口の周縁部にある締め紐としてのゴム紐を伸ばし状態で巾着状覆い部をレジカゴの開口縁の外側へ容易に折り返すことができ、しかも巾着状覆い部の折り返し部分を前記ゴム紐の伸縮機能でレジカゴの外周に容易に且つ確実に装着できる。これによって、例えばバッグ部が物品出し入れ口の開口姿勢を保持しにくい柔らかな素材で形成されたものであっても、物品出し入れ口の開口姿勢を保持した状態でバッグをレジカゴに装着でき、買物した商品をレジカゴに装着した買物用バッグ内にスムーズに詰め替えできる。
【００２０】
また、本考案（請求項５の考案）は、前記した買物用バッグ（請求項１から４のいずれかの買物用バッグ）であって、前記した二本の環状の締め紐が、二カ所の前記切欠き部のうち一方の切欠き部から紐通し部に挿入し該紐通し部に一周挿通して該切欠き部から外に出した一本の締め紐の両端部を結んだ前記掴み部としての機能も兼ねる結び部で環状の締め紐とされ、二カ所の前記切欠き部のうち他方の切欠き部から紐通し部に挿入し該紐通し部に一周挿通して該切欠き部から外に出した一本の締め紐の両端部を結んだ前記掴み部としての機能も兼ねる結び部で環状の締め紐とされた二本の締め紐で構成された買物用バッグを提供する。
【００２１】
また、本考案（請求項６の考案）は、前記した買物用バッグ（請求項１から４のいずれかの買物用バッグ）であって、前記した二本の環状の締め紐が、二カ所の前記切欠き部のうち一方の切欠き部から紐通し部に挿入し該紐通し部に一周挿通して該切欠き部から外に出した一本の締め紐の両端部を結んだ前記掴み部としての機能も兼ねる結び部で環状の締め紐とされ、二カ所の前記切欠き部のうち他方の切欠き部から紐通し部に挿入し該紐通し部に一周挿通して該切欠き部から外に出した一本の締め紐の両端部を結んだ前記掴み部としての機能も兼ねる結び部で環状の締め紐とされた二本の締め紐で構成され、この二本の環状の締め紐の各々の前記結び部とこの結び部に対応する各々の切欠き部との間に在る環状の締め紐部分に適宜の係止位置にスライド移動できる係止具を装着し、この係止具が前記摘み部としての機能も兼ねると共に、この係止具を適宜の係止位置にスライド移動させることによって前記巾着状覆い部の前記開放口を適宜の開閉位置で係止できるようにした買物用バッグを提供する。
【００２２】
また、本考案（請求項７の考案）は、前記した買物用バッグ（請求項１又は４の買物用バッグ）であって、前記マチ部は、前記巾着状覆い部が閉じられた状態において該巾着状覆い部の内側に位置するように前記切り離し分離部に取り付けた買物用バッグを提供する。
【００２３】
また、本考案（請求項８の考案）は、前記した買物用バッグ（請求項１又は４の買物用バッグ）であって、前記バッグ部の内面のうち、少なくとも前記底面部の内側面を保冷シート材で形成した買物用バッグを提供する。
【００２４】
また、本考案（請求項９の考案）は、前記した買物用バッグ（請求項１から４のいずれかの買物用バッグ）であって、前記バッグ部の側面部と提げ部及び前記巾着状覆い部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分でそれぞれ形成され、この二つの底面部分の折り畳み連結部側を除いたそれぞれの三方の周辺部にこの互いの三方の周辺部を折り重ね状態で閉じることができる開閉用スライドファスナーを装着した買物用バッグを提供する。
【００２５】
また、本考案（請求項１０の考案）は、前記した買物用バッグ（請求項８の買物用バッグ）であって、前記バッグ部の側面部と提げ部及び前記巾着状覆い部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分でそれぞれ形成されると共に、前記底面部の内側面を形成する前記保冷シート材が折り畳み可能な柔らかな材質で形成され、この二つの底面部分の折り畳み連結部側を除いたそれぞれの三方の周辺部にこの互いの三方の周辺部を折り重ね状態で閉じることができる開閉用スライドファスナーを装着した買物用バッグを提供する。
【００２６】
本考案（請求項９、１０の考案）の買物用バッグによれば、買物用バッグとして使用しない時は、開閉用スライドファスナーを全開して平面形状に開いた底面部の内側面の範囲内に納まるように前記バッグ部の側面部と提げ部及び前記巾着状覆い部を折り畳み、それぞれの面形状を維持可能な硬めの底面部分にそれぞれ形成された二つの底面部分の間に折り畳まれた前記バッグ部の側面部と提げ部及び前記巾着状覆い部が納められた状態に折り畳み連結部を介して二つの底面部分を折り重ね、この折り重ね状態で開閉用スライドファスナーを閉じれば、二つの底面部分の外側面を表にして形成された扁平状の小バッグ内に買物バッグの全体をコンパクトな折り畳み形態に納めて保持できる。よって、本考案の買物用バッグによれば、買物バッグとして使用しない時には、買物用バッグの全体をコンパクトな小バッグの形態にでき、持ち運びする際や保管するのに便利である。しかも、本考案の買物用バックは、二つの底面部分がそれぞれの面形状を維持可能な硬めの底面部分にそれぞれ形成されているため、買物バッグとして使用する時は、買物した重たい商品も安定した詰め状態でバッグ内に収納できる。
【００２７】
また、本考案（請求項１１の考案）は、前記した買物用バッグ（請求項９又は１０の買物用バッグ）であって、前記底面部の外側面側に前記折り畳み連結部の折り畳み線に沿って延びる帯状部材の持ち運び用手提げ部を取り付けた買物用バッグを提供する。この買物用バッグによれば、買物バッグとして使用しない時に、買物バッグの全体をコンパクトな小バッグの形態にした買物バッグを前記持ち運び用手提げ部を介して手に提げて持ち運びでき便利である。
【考案の効果】
【００２８】
本考案の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、この巾着状覆い部の開放口を締め紐で閉じて買物した物品を持ち帰る際、巾着状覆い部の切り離し分離部に因る隙間を前記マチ部で塞ぐことができるため、バッグ内部の保冷効果又は保温効果をアップさせることができる。同様に、この巾着状覆い部の開放口を締め紐で閉じて買物した物品を持ち帰る際、巾着状覆い部の切り離し分離部に因る隙間を前記マチ部で塞ぐことができるため、切り離し分離部に因る隙間から買物した物品が飛び出たり、こぼれ落ちるのを防ぐことができる。
【００２９】
さらに、本考案の買物用バッグによれば、巾着状覆い部をレジカゴの開口縁の外側へ折り返し、この折り返し部分をレジカゴの外周に装着する際、この巾着状覆い部の折り返し部分を締め紐であるゴム紐の伸縮機能でレジカゴの外周に容易に且つ確実に装着できる。これによって、例えばバッグ部が物品出し入れ口の開口姿勢を保持しにくい柔らかな素材で形成されたものであっても、物品出し入れ口の開口姿勢を保持した状態でバッグをレジカゴに装着でき、買物した商品をレジカゴに装着した買物用バッグ内にスムーズに詰め替えできる。
【００３０】
さらに、本考案の買物用バッグによれば、巾着状覆い部をレジカゴの開口縁の外側へ折り返し、この折り返し部分をレジカゴの外周に装着する際、この巾着状覆い部の開放口を広く拡げて該巾着状覆い部をレジカゴの開口縁の外側へスムーズに折り返しできるように該巾着状覆い部に切り離し分離部を形成したバッグであっても、広く拡げた開放口の周縁部にある締め紐としてのゴム紐を伸ばし状態で巾着状覆い部をレジカゴの開口縁の外側へ容易に折り返すことができ、しかも巾着状覆い部の折り返し部分を前記ゴム紐の伸縮機能でレジカゴの外周に容易に且つ確実に装着できる。これによって、例えばバッグ部が物品出し入れ口の開口姿勢を保持しにくい柔らかな素材で形成されたものであっても、物品出し入れ口の開口姿勢を保持した状態でバッグをレジカゴに装着でき、買物した商品をレジカゴに装着した買物用バッグ内にスムーズに詰め替えできる。
【００３１】
また、本考案の買物用バッグによれば、買物バッグとして使用しない時には、買物バッグの全体をコンパクトな小バッグの形態にでき、持ち運びする際や保管するのに便利である。
【図面の簡単な説明】
【００３２】
【図１】本考案の買物用バッグを一部切り欠いて示した斜視図である。
【図２】図１のＡ−Ａ矢視線に沿う切断部の拡大端面図である。
【図３】本考案の買物用バッグの使用態様を示した斜視図である。
【図４】本考案の買物用バッグの使用態様を示した斜視図である。
【図５】買物用バッグとして使用しない時の折り畳み手順を示した斜視図である。
【考案を実施するための形態】
【００３３】
本考案に係る買物用バッグの実施形態を図面に基づき説明する。図１、図３、図４に示したように、本考案の買物用バッグ１は、略方形（略長方形）の底面部３と、この底面部３を囲む四面の側面部４をもち、上方を物品出し入れ口５として開口し、前記側面部４に手提げ又は肩掛け用の提げ部６を取り付け、前記物品出し入れ口５を上にしてレジカゴＫ（図１、図３に一点鎖線で概略構成を示した。このレジカゴは、スーパーマーケット等に置かれたものを指し、底部を略長方形の矩形とし、上部を矩形枠で開口したものを概略的に示し、煩雑さを避けるため側部の格子部を省略して示している。）内にフィットした状態に装着できる大きさに形成されたバッグ部２と、このバッグ部２の前記物品出し入れ口５を開閉可能に覆うことができる巾着状覆い部１０を備えたものである。なお、前記バッグ部２の側面部４や提げ部６は折り畳み可能な柔らかな材質の繊維素材で形成してある。また、前記バッグ部２は、前記物品出し入れ口５が前記底面部３の広さより広く成るように前記側面部４を上方に行くに従い拡げた態様に形成してある。また、前記バッグ部２の内面のうち、少なくとも前記底面部３の内側面を保冷シート材３Ａで形成してある。
【００３４】
この巾着状覆い部１０は、一端側を前記物品出し入れ口５の内周縁部に沿って止着され、他端側を開放口１２とした柔らかな素材から成る略筒状の覆い面部材１１を備え、この覆い面部材１１の開放口１２の周縁部に紐通し部１３を形成すると共にこの紐通し部１３の周縁部方向の左右対称位置に二か所の切欠き部１４，１４をそれぞれ切り欠き形成し、前記紐通し部１３にそれぞれ挿通された二本の環状の締め紐１５，１５を有し、この二本の環状の締め紐１５，１５のうち、一方の環状の締め紐１５の掴み部１５ａを一方の前記切欠き部１４から外に出し、他方の環状の締め紐１５の掴み部１５ａを他方の前記切欠き部１４から外に出した状態に取り付けられており、この二本の環状の締め紐１５，１５の各掴み部１５ａ，１５ａを左右に引っ張ることによって前記開放口１２を窄めた状態に閉じることができるように構成されている（図４参照）。
【００３５】
前記した二本の環状の締め紐１５，１５は、二カ所の前記切欠き部１４，１４のうち一方の切欠き部１４から紐通し部１３に挿入し該紐通し部１３に一周挿通して該切欠き部１４から外に出した一本の締め紐１５の両端部を結んだ前記掴み部１５ａとしての機能も兼ねる結び部１６で環状の締め紐とされ、二カ所の前記切欠き部１４，１４のうち他方の切欠き部１４から紐通し部１３に挿入し該紐通し部１３に一周挿通して該切欠き部１４から外に出した一本の締め紐１５の両端部を結んだ前記掴み部１５ａとしての機能も兼ねる結び部１６で環状の締め紐とされた二本の締め紐で構成されている。そして、この二本の環状の締め紐の各々の前記結び部１６とこの結び部に対応する各々の切欠き部１４との間に在る環状の締め紐部分に適宜の係止位置にスライド移動できる係止具１７を装着し、この係止具１７が前記掴み部１５ａとしての機能も兼ねると共に、この係止具１７を適宜の係止位置にスライド移動させることによって前記巾着状覆い部１０の前記開放口１２を適宜の開閉位置で係止できるようにしてある。
【００３６】
また、この買物用バッグ１は、このバッグのバッグ部２をレジカゴＫ内に装着し、前記開放口１２を広げた状態の巾着状覆い部１０をレジカゴＫの開口縁の外側へ折り返し、この折り返し部分をレジカゴＫの外周に装着することによって、前記物品出し入れ口５を広げた開口状態でレジカゴＫに装着できるようにしてある（図３参照）。
【００３７】
そして、本考案の買物用バッグ１は、前記巾着状覆い部１０に該巾着状覆い部の開放口１２を広く拡げて該巾着状覆い部をレジカゴＫの開口縁の外側へスムーズに折り返しできるように該巾着状覆い部の二か所の前記切欠き部１４の切り欠き形成箇所から前記物品出し入れ口５との止着箇所まで至る切り離し切れ目を入れた切り離し分離部１８をそれぞれ形成してある。
【００３８】
本考案の買物用バッグ１の特徴は、主に図１、図２に示したように、この切り離し分離部１８に該切り離し分離部に因る隙間Ｃを塞ぐ柔らかなマチ素材から成るマチ部２０を取り付け、このマチ部２０を前記物品出し入れ口５との止着箇所から前記開放口１２の方向へ行くに従い該開放口１２を広げる方向へのマチ幅が広くなるように形成したことである。このマチ部２０は、図２から明らかなように、前記巾着状覆い部１０が閉じられた状態において該巾着状覆い部１０の内側に位置するように前記切り離し分離部１８に取り付けてある。
【００３９】
本考案の買物用バッグ１によれば、巾着状覆い部１０をレジカゴＫの開口縁の外側へ折り返し、この折り返し部分をレジカゴＫの外周に装着する際、この巾着状覆い部１０の開放口１２を広く拡げて該巾着状覆い部１０をレジカゴＫの開口縁の外側へスムーズに折り返しできるように該巾着状覆い部１０に切り離し分離部１８を形成したバッグであっても、この巾着状覆い部１０の開放口１２を締め紐１５で閉じて買物した物品を持ち帰る際、図４に示したように、巾着状覆い部１０の切り離し分離部１８に因る隙間Ｃを前記マチ部２０で塞ぐことができるため、バッグ内部の保冷効果又は保温効果をアップさせることができる。同様に、この巾着状覆い部１０の開放口１２を締め紐１５で閉じて買物した物品を持ち帰る際、巾着状覆い部１０の切り離し分離部１８に因る隙間Ｃを前記マチ部２０で塞ぐことができるため、切り離し分離部１８に因る隙間から買物した物品が飛び出たり、こぼれ落ちるのを防ぐことができる。
【００４０】
また、本考案の買物用バッグ１の特徴は、前記締め紐１５が伸縮性を有するゴム紐であり、図３に示したように、前記巾着状覆い部１０の前記折り返し部分を前記ゴム紐の伸縮機能でレジカゴＫの外周に装着できるようにしたことである。
【００４１】
前記締め紐１５をゴム紐とした本考案の買物用バッグ１によれば、巾着状覆い部１０をレジカゴＫの開口縁の外側へ折り返し、この折り返し部分をレジカゴＫの外周に装着する際、この巾着状覆い部１０の開放口１２を広く拡げて該巾着状覆い部１０をレジカゴＫの開口縁の外側へスムーズに折り返しできるように該巾着状覆い部１０に切り離し分離部１８を形成したバッグであっても、広く拡げた開放口１２の周縁部にある締め紐１５としてのゴム紐を伸ばし状態で巾着状覆い部１０をレジカゴＫの開口縁の外側へ容易に折り返すことができる。しかも、図３に示したように、巾着状覆い部１０の折り返し部分を前記ゴム紐の伸縮機能でレジカゴＫの外周に容易に且つ確実に装着できる。これによって、例えばバッグ部２が物品出し入れ口５の開口姿勢を保持しにくい柔らかな素材で形成されたものであっても、図３に示したように、物品出し入れ口５の開口姿勢を保持した状態でバッグ１をレジカゴＫに装着でき、買物した商品（図示してない。）をレジカゴＫに装着した買物用バッグ１内にスムーズに詰め替えできる。
【００４２】
なお、前記締め紐１５をゴム紐とした特徴は、図示してないが、巾着状覆い部１０に切り離し分離部１８を形成してない買物用バッグにも適用でき、この巾着状覆い部１０をレジカゴＫの開口縁の外側へ折り返し、この折り返し部分をレジカゴＫの外周に装着する際、この巾着状覆い部１０の折り返し部分を締め紐１５であるゴム紐の伸縮機能でレジカゴＫの外周に容易に且つ確実に装着できる。これによって、例えばバッグ部２が物品出し入れ口５の開口姿勢を保持しにくい柔らかな素材で形成されたものであっても、物品出し入れ口５の開口姿勢を保持した状態でバッグ１をレジカゴＫに装着でき、買物した商品をレジカゴに装着した買物用バッグ内にスムーズに詰め替えできる。
【００４３】
また、図５に示したように、本考案の買物用バッグ１は、買物バッグとして使用しない時には、買物バッグの全体をコンパクトな小バッグの形態にできるようにしてある。すなわち、本考案の買物用バッグ１は、前記バッグ部２の側面部４と提げ部６及び前記巾着状覆い部１０を前記底面部３の内側面の範囲内に納めて折り畳み可能な柔らか材質で形成し、前記底面部３を中心線に沿って延びる折り畳み連結部３Ｆを介して二つの略対称形状の底面部分３ａ，３ａに区分け形成し、この二つの底面部分３ａ，３ａが前記折り畳み連結部３Ｆを介して互いの内側面を折り重ね態様に折り畳み可能に形成され、この二つの底面部分３ａ，３ａがそれぞれの面形状を維持可能な硬めの底面部分でそれぞれ形成されると共に、前記底面部３の内側面を形成する前記保冷シート材３Ａ（前記したように、本考案のバッグの底面部３は、その内側面を保冷シート材３Ａで形成してある。）が折り畳み可能な柔らかな材質で形成され、この二つの底面部分３ａ，３ａの折り畳み連結部３Ｆ側を除いたそれぞれの三方の周辺部にこの互いの三方の周辺部を折り重ね状態で閉じることができる開閉用スライドファスナー２２を装着してある。
【００４４】
なお、二つの底面部分３ａ，３ａは、柔らかな材質の内面シート材（前記した保冷シート材３Ａ）とポリエステル繊維などの外面シート材の間に各底面部分と略同形な可撓性を有する厚めの板紙などの板状芯材（図示せず。）を入れ周囲を縫着してあり、この板状芯材（図示せず。）によってそれぞれの面形状を維持可能な硬めの底面部分にそれぞれ形成してある。二つの板状芯材（図示せず。）の間の内外面のシート材の部分は、縫着線によって区分けされ、折り畳み自在な折り畳み連結部３Ｆとして形成してある。
【００４５】
これによって、買物バッグとして使用しない時は、図５（Ａ）に示したように、開閉用スライドファスナー２２を全開して平面形状に開いた底面部３の内側面の範囲内に納まるように前記バッグ部２の側面部４と提げ部６及び前記巾着状覆い部１０を折り畳み、図５（Ａ）の矢印で示したように、それぞれの面形状を維持可能な硬めの底面部分にそれぞれ形成された二つの底面部分３ａ，３ａの間に折り畳まれた前記バッグ部２の側面部４と提げ部６及び前記巾着状覆い部１０が納められた状態に折り畳み連結部３Ｆを介して二つの底面部分３ａ，３ａを折り重ね、図５（Ｂ）に示したように、この折り重ね状態でスライダー部２２ａをスライド移動させて開閉用スライドファスナー２２を閉じれば、二つの底面部分３ａ，３ａの外側面を表にして形成された扁平状の小バッグ内に買物バッグの全体をコンパクトな折り畳み形態に納めて保持できる。よって、本考案の買物用バッグによれば、買物バッグとして使用しない時には、買物バッグの全体をコンパクトな小バッグの形態にでき、持ち運びする際や保管するのに便利である。
【００４６】
また、図５（Ｂ）に示したように、本考案の買物用バッグ１は、前記底面部３の外側面側に前記折り畳み連結部３Ａの折り畳み線に沿って延びる帯状部材の持ち運び用手提げ部２３を取り付けてあり、買物バッグの全体をコンパクトな小バッグの形態にした買物バッグを前記持ち運び用手提げ部２３を介して手に提げて持ち運びできるようにしてある。
【００４７】
なお、図１、図３において、符号２５はメッシュ状の吊下げポケットを示している。
【符号の説明】
【００４８】
１  買物用バッグ
２  バッグ部
３  底面部
３Ａ  保冷シート材
３Ｆ  折り畳み連結部
３ａ，３ａ  底面部分
４  側面部
５  物品出し入れ口
６  提げ部
Ｋ  レジカゴ
１０  巾着状覆い部
１１  覆い面部材
１２  開放口
１３  紐通し部
１４  切欠き部
１５  締め紐（ゴム紐）
１５ａ  締め紐の掴み部
１６  締め紐の結び部
１７  係止具
１８  切り離し分離部
Ｃ  切り離し分離部に因る隙間
２０  マチ部
２２  開閉用スライドファスナー
２３  持ち運び用手提げ部
２５  吊下げポケット
【図１】
0003224329.tif 000003
【図２】
0003224329.tif 000004
【図３】
0003224329.tif 000005
【図４】
0003224329.tif 000006
【図５】
0003224329.tif 000007